(57)【要約】【課題】  手軽に洗うことができ、絡みついたりしないこと。【解決手段】この鍋掴み１００はシリコンシートからなり、左右の葉形の掴み部１，２と、この左右の掴み部１，２を連結する連結部３とからなる。連結部３の中央の幅方向に肉薄部４が形成され、当該肉薄部４で容易に折り曲げられる。また、肉薄部４の中央から同じ距離の部分に穴５，５が設けられている。この穴５，５は、肉薄部４で連結部３を折り曲げたときに穴５と穴５とが略一致するようになり、この穴５，５をもって台所のフック等にひっかけることができる。鍋掴み１００自体がシリコン製であるため、鍋５０の中に浸かったり、使用していくうちに汚れたりしても、簡単に洗うことができる。また、連結部３もシリコン製でありバンド状になっているので、当該連結部３が絡まることがない。【選択図】  図１
2011110310.tif 000002
【特許請求の範囲】
【請求項１】
シリコンからなるシート状であり、左右に掴み部を有すると共に当該左右の掴み部を連結部により連結し、この連結部は掴み部よりもその幅が狭いことを特徴とする調理器具掴み。
【請求項２】
前記連結部の中央部分の左右側の同距離に穴が設けられていることを特徴とする請求項１に記載の調理器具掴み。
【請求項３】
前記連結部の中央部分の厚さがそれ以外の部分の厚さよりも薄いことを特徴とする請求項１または２に記載の調理器具掴み。
【請求項４】
少なくとも前記掴み部には略幅方向に複数の断面波形の溝が形成されていることを特徴とする請求項１〜３のいずれか一つに記載の調理器具掴み。
【発明の詳細な説明】
【技術分野】
【０００１】
本発明は、調理中に熱くなった調理器具を掴むための調理器具つかみに関するものである。
【背景技術】
【０００２】
従来から調理中に熱くなった鍋ややかんを掴むための鍋掴みとして、表面に耐火性の生地を袋状にし、その内部に綿を入れてキルティングを施したものが知られている。このような鍋掴みは通常は矩形またはグローブ形状であり、２個の鍋掴みを左右の手に持って加熱された鍋の両端や取っ手を掴むようにして使用する。
【０００３】
また、従来の鍋掴みとしては、特許文献１に記載されたようなものが知られている。この鍋掴みは、中綿を布地で製法して２個の鍋掴みを２本の伸縮帯で接続した構造である。この鍋掴みは、両手を用いて鍋を掴むときに便利である。
【先行技術文献】
【特許文献】
【０００４】
【特許文献１】特開平１１−２５３３３３号公報
【発明の概要】
【発明が解決しようとする課題】
【０００５】
しかしながら、上記従来の鍋掴みは、中綿を布地で縫製した構造であるため、布地の表面の汚れを落とし難く、汚れた場合に手軽に洗うことができないという問題点がある。また、伸縮帯で鍋掴みを連結した場合、使用時に伸縮帯が鍋に絡みついたり、伸縮帯自体が絡まってしまうという問題点がある。
【課題を解決するための手段】
【０００６】
本発明の調理器具掴みは、シリコンからなるシート状であり、左右に掴み部を有すると共に当該左右の掴み部を連結部により連結し、この連結部は掴み部よりもその幅が狭いことを特徴とする。
【０００７】
また、本発明の調理器具掴みは、上記発明において、前記連結部の中央部分の左右側の同距離に穴が設けられていることを特徴とする。
【０００８】
また、本発明の調理器具掴みは、上記発明において、前記連結部の中央部分の厚さがそれ以外の部分の厚さよりも薄いことを特徴とする。
【０００９】
また、本発明の調理器具掴みは、上記発明において、少なくとも前記掴み部には略幅方向に複数の断面波形の溝が形成されていることを特徴とする。
【図面の簡単な説明】
【００１０】
【図１】この発明の実施の形態１にかかる鍋掴みを示す平面図である。
【図２】図１に示した鍋掴みの側面図である。
【図３】図１に示した鍋掴みの使用状態を示す説明図である。
【図４】図１に示した鍋掴みの使用状態を示す説明図である。
【図５】この発明の実施の形態２にかかる鍋掴みを示す平面図である。
【図６】図５の鍋掴みの側面拡大図である。
【発明を実施するための形態】
【００１１】
（実施の形態１）
図１は、この発明の実施の形態１にかかる鍋掴みを示す平面図である。図２は、図１に示した鍋掴みの側面図である。図３は、図１に示した鍋掴みの使用状態を示す説明図である。この鍋掴み１００はシリコンシートからなり、左右の葉形の掴み部１，２と、この左右の掴み部１，２を連結する連結部３とからなる。連結部３は、鍋掴み１００自体を変形させやすくするために掴み部１，２よりも幅が狭くなっている。具体的には、連結部３の幅は、掴み部１，２の幅の１／３以上１／２以下である。
【００１２】
掴み部１，２の大きさは、長手方向が９０mm以上２００ｍｍ以下、幅方向が６０ｍｍ以上１５０ｍｍ以下である。なお、掴み部１，２の形状は、図示したものに限定されない。例えば５角形、６角形、楕円、ひょうたん形等でもよい。
【００１３】
次に、シリコンシートの厚さは、１ｍｍ以上５ｍｍ以下が好ましいが、１．５ｍｍ以上４ｍｍ以下がより好ましい。シリコンシートに用いるシリコンは、硬度が４０以上６０以下のものが好ましい。
【００１４】
また、この鍋掴み１００は、連結部３の中央の幅方向に肉薄部４が形成され、当該肉薄部４で容易に折り曲げられるようになっている。また、肉薄部４の中央から同じ距離の部分に穴５，５が設けられている。この穴５，５は、肉薄部４で連結部３を折り曲げたときに穴５と穴５とが略一致するようになり、この穴５，５をもって台所のフック等にひっかけることができる。穴５，５の径は１０ｍｍ前後が好ましい。
【００１５】
次に、この鍋掴み１００の使用方法について説明する。図３に示すように、ユーザは左右の手でそれぞれ掴み部１，２を持ち、鍋５０の取っ手５１又は縁に当該掴み部１，２を載せる。このとき、鍋蓋５２の有無が当該鍋掴み１００の使用に問題となることはない。次に、掴み部１，２の上から取っ手５１又は縁を掴んで鍋５０を持ち上げる。このとき、掴み部１，２はシリコン製であり所定の厚さを有するので、鍋５０の熱が手に伝わりにくい。このため、ユーザは熱い思いをすることなく、鍋５０を掴むことができる。また、鍋蓋５２を用いている場合は、連結部３が鍋蓋５２を押さえる格好になるので、鍋蓋５２を押さえつつ鍋５０を持つことができ、誤って鍋蓋５２を落とすことを防止できる。
【００１６】
更に、鍋掴み１００自体がシリコン製であるため、鍋５０の中に浸かったり、使用していくうちに汚れたりしても、簡単に洗うことができる。また、連結部３もシリコン製でありバンド状になっているので、当該連結部３が絡まることがない。また、図４に示すように、薄肉部４を中心として折り曲げて穴５と穴５とを重ね、フック６０に引っ掛けて収納できる。
【００１７】
（実施の形態２）
図５は、この発明の実施の形態２にかかる鍋掴みを示す平面図である。図６は、図５の鍋掴みの側面拡大図である。この鍋掴み２００は、掴み部１，２片面または両面の幅方向（長手方向の直交方向）に波状の溝２０１を複数形成した点に特徴がある。その他の構成は実施の形態１と同様であるからその説明を省略する。波状の溝２０１を形成し、この波状の溝２０１を形成した面で鍋５０の取っ手５１を掴むと、溝２０１に取っ手５１や鍋５０の縁がうまく適合することで確実に取っ手５１を掴むことができる。また、波形の溝２０１にすれば、溝２０１に角が生じないので汚れが溜まり難く、且つ、洗浄しやすい。
【００１８】
前記溝２０１は、略幅方向に形成されていれば良く、若干湾曲していても良い。また、溝２０１の山２０２と山２０２との間隔ｔは、５ｍｍ以上１５ｍｍ以下とするのは好ましい。溝２０１の高さは、１ｍｍ以上５mm以下とするのが好ましい。
【符号の説明】
【００１９】
１００  鍋掴み
１  掴み部
２  掴み部
３  連結部
４  肉薄部
５  穴
【図１】
2011110310.tif 000003
【図２】
2011110310.tif 000004
【図３】
2011110310.tif 000005
【図４】
2011110310.tif 000006
【図５】
2011110310.tif 000007
【図６】
2011110310.tif 000008